【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
バーコードを用いて商品の決済管理を行う決済管理装置であって、
通信ネットワークを介して自装置へアクセスさせるアクセス先情報であって商品の販売契約の契約識別情報を少なくとも含むアクセス先情報を格納した決済用バーコードを読み取った商品販売者端末、または前記決済用バーコードを読み取った契約者端末から、前記アクセス先情報に基づくアクセスを受け付けるアクセス受付手段と、
前記商品販売者端末の識別情報を記憶する商品販売者端末記憶手段と、
前記アクセスを受け付けた端末の識別情報が前記商品販売者端末記憶手段に登録されている場合には、前記アクセス先情報に含まれる契約識別情報で特定される契約情報の変更を受け付ける契約情報変更受付手段と、
前記アクセスを受け付けた端末の識別情報が前記商品販売者端末記憶手段に登録されていない場合には、前記アクセス先情報に含まれる契約識別情報で特定される契約情報に関する決済処理を行う決済管理手段と、
を備えることを特徴とする決済管理装置。
【請求項２】
前記決済用バーコードデータを生成する決済用バーコード生成手段と、
前記決済用バーコードデータを前記商品販売者端末へ送信する決済用バーコード送信手段と、を備え、
前記アクセス受付手段は、前記決済用バーコードデータの受信に基づいて前記商品販売者端末が画面に表示した前記決済用バーコードから前記アクセス先情報を読み取った前記契約者端末からのアクセスを受け付ける
ことを特徴とする請求項１に記載の決済管理装置。
【請求項３】
前記契約者端末の識別情報を記憶する契約者端末記憶手段と、
前記契約識別情報に対応付けて決済実施有無を記憶する決済実施有無記憶手段と、
前記アクセスを受け付けた端末の識別情報が前記商品販売者端末記憶手段に登録されていない場合、または前記アクセス先情報に含まれる契約識別情報の決済実施有無が前記決済実施有無記憶手段に無しと登録されている場合には、前記前記アクセス先情報に含まれる契約識別情報と、当該契約者端末から入力された決済用情報とを対応付けて登録する決済用情報登録受付手段と、
を備えることを特徴とする請求項１または請求項２に記載の決済管理装置。
【請求項４】
前記アクセスを受け付けた端末の識別情報が前記契約者端末記憶手段に登録されておらず、かつ当該アクセスに利用した前記アクセス先情報に含まれる契約識別情報の決済実施有無が前記決済実施有無記憶手段に有りと登録されている場合には、端末変更画面を、前記アクセスを受け付けた端末へ送信する端末変更登録処理手段と、
を備えることを特徴とする請求項１または請求項２に記載の決済管理装置。
【請求項５】
バーコードを用いて商品の決済管理を行う決済管理装置における決済管理方法であって、
前記決済管理装置のアクセス受付手段が、通信ネットワークを介して自装置へアクセスさせるアクセス先情報であって商品の販売契約の契約識別情報を少なくとも含むアクセス先情報を格納した決済用バーコードを読み取った商品販売者端末、または前記決済用バーコードを読み取った契約者端末から、前記アクセス先情報に基づくアクセスを受け付け、
前記決済管理装置の商品販売者端末記憶手段が、前記商品販売者端末の識別情報を記憶し、
前記決済管理装置の契約情報変更受付手段が、前記アクセスを受け付けた端末の識別情報が前記商品販売者端末記憶手段に登録されている場合には、前記アクセス先情報に含まれる契約識別情報で特定される契約情報の変更を受け付け、
前記決済管理装置の決済管理手段が、前記アクセスを受け付けた端末の識別情報が前記商品販売者端末記憶手段に登録されていない場合には、前記アクセス先情報に含まれる契約識別情報で特定される契約情報に関する決済処理を行う
ことを特徴とする決済管理方法。
【手続補正２】
【補正対象書類名】明細書
【補正対象項目名】０００５
【補正方法】変更
【補正の内容】
【０００５】
上記目的を達成するために、本発明は、バーコードを用いて商品の決済管理を行う決済管理装置であって、通信ネットワークを介して自装置へアクセスさせるアクセス先情報であって商品の販売契約の契約識別情報を少なくとも含むアクセス先情報を格納した決済用バーコードを読み取った商品販売者端末、または前記決済用バーコードを読み取った契約者端末から、前記アクセス先情報に基づくアクセスを受け付けるアクセス受付手段と、前記商品販売者端末の識別情報を記憶する商品販売者端末記憶手段と、前記アクセスを受け付けた端末の識別情報が前記商品販売者端末記憶手段に登録されている場合には、前記アクセス先情報に含まれる契約識別情報で特定される契約情報の変更を受け付ける契約情報変更受付手段と、前記アクセスを受け付けた端末の識別情報が前記商品販売者端末記憶手段に登録されていない場合には、前記アクセス先情報に含まれる契約識別情報で特定される契約情報に関する決済処理を行う決済管理手段と、を備えることを特徴とする決済管理装置である。
【手続補正３】
【補正対象書類名】明細書
【補正対象項目名】０００６
【補正方法】変更
【補正の内容】
【０００６】
また本発明は、上述の決済管理装置が、前記決済用バーコードデータを生成する決済用バーコード生成手段と、前記決済用バーコードデータを前記商品販売者端末へ送信する決済用バーコード送信手段と、を備え、前記アクセス受付手段は、前記決済用バーコードデータの受信に基づいて前記商品販売者端末が画面に表示した前記決済用バーコードから前記アクセス先情報を読み取った前記契約者端末からのアクセスを受け付けることを特徴とする。
また本発明は、上述の決済管理装置が、前記契約者端末の識別情報を記憶する契約者端末記憶手段と、前記契約識別情報に対応付けて決済実施有無を記憶する決済実施有無記憶手段と、前記アクセスを受け付けた端末の識別情報が前記商品販売者端末記憶手段に登録されていない場合、または前記アクセス先情報に含まれる契約識別情報の決済実施有無が前記決済実施有無記憶手段に無しと登録されている場合には、前記前記アクセス先情報に含まれる契約識別情報と、当該契約者端末から入力された決済用情報とを対応付けて登録する決済用情報登録受付手段と、を備えることを特徴とする。
【手続補正４】
【補正対象書類名】明細書
【補正対象項目名】０００７
【補正方法】変更
【補正の内容】
【０００７】
また本発明は、上述の決済管理装置が、前記アクセスを受け付けた端末の識別情報が前記契約者端末記憶手段に登録されておらず、かつ当該アクセスに利用した前記アクセス先情報に含まれる契約識別情報の決済実施有無が前記決済実施有無記憶手段に有りと登録されている場合には、端末変更画面を、前記アクセスを受け付けた端末へ送信する端末変更登録処理手段と、を備えることを特徴とする。
【手続補正５】
【補正対象書類名】明細書
【補正対象項目名】０００８
【補正方法】変更
【補正の内容】
【０００８】
また本発明は、バーコードを用いて商品の決済管理を行う決済管理装置における決済管理方法であって、前記決済管理装置のアクセス受付手段が、通信ネットワークを介して自装置へアクセスさせるアクセス先情報であって商品の販売契約の契約識別情報を少なくとも含むアクセス先情報を格納した決済用バーコードを読み取った商品販売者端末、または前記決済用バーコードを読み取った契約者端末から、前記アクセス先情報に基づくアクセスを受け付け、前記決済管理装置の商品販売者端末記憶手段が、前記商品販売者端末の識別情報を記憶し、前記決済管理装置の契約情報変更受付手段が、前記アクセスを受け付けた端末の識別情報が前記商品販売者端末記憶手段に登録されている場合には、前記アクセス先情報に含まれる契約識別情報で特定される契約情報の変更を受け付け、前記決済管理装置の決済管理手段が、前記アクセスを受け付けた端末の識別情報が前記商品販売者端末記憶手段に登録されていない場合には、前記アクセス先情報に含まれる契約識別情報で特定される契約情報に関する決済処理を行うことを特徴とする決済管理方法である。